(57)【要約】【課題】ラジオ受信機のＩＦ信号に含まれる搬送波成分を除去せずに、両側波帯のレベルを検出することによって、混信していない方の側波帯を選択して復調する。【解決手段】フロントエンド３からのＩＦ信号をデジタル変換後に同期検波器５で検波してＵＳＢとＬＳＢを生成するラジオ受信機１において、ＵＳＢとＬＳＢのレベルを検出して、隣接妨害局による混信状態がＵＳＢとＬＳＢに発生しているか否かをレベル検出部６Ｌ，６Ｕで判定し、レベル検出部６Ｌ，６Ｕの判定によってＵＳＢとＬＳＢの何れか一方に混信が発生している場合には、混信が発生していない方の側帯波を選択するロジックをロジック作成部７で作成し、信号選択部８ではロジック作成部７からの信号で、同期検波されたＵＳＢとＬＳＢのいずれか一方を選択するようにしたラジオ受信機１である。【選択図】図１
2010178206.tif 000002
【特許請求の範囲】
【請求項１】
アンテナで受信したラジオ電波を中間周波数に変換して出力する同調回路と、該同調回路からの中間周波数の信号をデジタル変換後に復調処理して復調信号を出力する復調回路とを備え、前記復調回路では入力される中間周波数を同期検波して上側帯波と下側帯波を生成するラジオ受信機において、
隣接妨害局による混信状態が前記上側帯波と前記下側帯波に発生しているか否かを検出する混信状態検出器と、
前記混信状態検出器の出力から、前記上側帯波と前記下側帯波の何れか一方に混信が発生している場合には、混信が発生していない方の側帯波を選択する信号を生成する側帯波選択信号発生器と、
前記上側帯波と前記下側帯波、及び前記側帯波選択信号が入力され、前記側帯波選択信号に応じて前記上側帯波と前記下側帯波の何れか一方を出力する信号選択器とを前記復調回路に設けたことを特徴とするラジオ受信機。
【請求項２】
請求項１に記載のラジオ受信機であって、
側帯波選択信号発生器は、前記上側帯波と前記下側帯波の何れにも混信が発生していない場合、或いは前記上側帯波と前記下側帯波の両方に混信が発生している場合には、前記上側帯波と前記下側帯波の何れか一方を選択する側帯波選択信号を出力することを特徴とするラジオ受信機。
【請求項３】
アンテナで受信したラジオ電波を中間周波数に変換して出力する同調回路からの中間周波数の信号を復調処理して復調信号を出力する復調回路であって、
前記中間周波数の信号をデジタル信号に変換するＡＤ変換器と、
デジタル変換された前記中間周波数からＰＬＬ回路によって同相成分の信号と直交成分の信号を生成し、処理回路によって前記同相成分の信号と前記直交成分信号から上側波帯と下側波帯の信号を作る同期検波回路と、
隣接妨害局による混信状態が前記上側帯波と前記下側帯波に発生しているか否かを、両側波帯の直流成分の大きさによって検出する混信状態検出器と、
前記混信状態検出器の出力から、前記上側帯波と前記下側帯波の何れか一方に混信が発生している場合には、混信が発生していない方の側帯波を選択する信号を生成する側帯波選択信号発生器と、
前記上側帯波と前記下側帯波、及び前記側帯波選択信号が入力され、前記側帯波選択信号に応じて前記上側帯波と前記下側帯波の何れか一方を出力する信号選択器とを備えることを特徴とする復調回路。
【発明の詳細な説明】
【技術分野】
【０００１】
本発明はラジオ受信機と該受信機に内蔵された復調回路に関し、特に、同期検波を行うＡＭラジオ放送等の電波を受信するラジオ受信機であって、隣接局の妨害を受けた時に、妨害を受けていない方の上側帯波又は下側帯波を選択するようにして、隣接局の妨害を回避できるラジオ受信機とこの受信機に内蔵された復調回路に関する。
【背景技術】
【０００２】
従来、振幅変調（以後ＡＭという）によるラジオ放送を受信するラジオ受信機であるＡＭチューナでは、放送局からの信号とチューナに内蔵した局部発振回路で生成した信号とを合成して中間周波数を作り、この中間周波数（以後ＩＦという）を増幅、復調するスーパーヘテロダイン方式が使用されている。そして、このようなスーパーヘテロダイン方式のＡＭチューナでは、同期検波を用いることによりラジオ放送の復調（検波）性能を高めている。
【０００３】
ところで、ＡＭ放送では、希望受信局の周波数帯の近くに隣接局があると、この隣接局の放送が受信されてノイズになることが多いという問題点がある。このような隣接局によるノイズは除去すべきであり、方絡線検波を行っている特許文献１に開示の技術では、隣接局が含まれているＡＭ信号のＩＦ信号に対して、混信していない方の信号を取り出して検波を行っている。
【０００４】
また、隣接局が含まれているＡＭ信号のＩＦ信号に対して、上側帯波（以後ＵＳＢという）部分と下側帯波（以後ＬＳＢという）部分を復調してＵＳＢ信号とＬＳＢ信号とを発生させ、次いでＵＳＢ信号とＬＳＢ信号のノイズ電力を測定してＵＳＢ信号とＬＳＢ信号に重み付けを行い、ＵＳＢ信号とＬＳＢ信号の合成割合を重み付けに基づいて変更してノイズを除去する技術が特許文献２に開示されている。
【０００５】
【特許文献１】特開平６−１４１０１９号公報（図５）
【０００６】
【特許文献２】特開２００６−５１８９６６号公報（図４）
【発明の開示】
【発明が解決しようとする課題】
【０００７】
ところが、特許文献１に開示の技術では、ＩＦ信号に含まれている搬送波成分を除去するフィルタや、ＵＳＢ，ＬＳＢ信号を抽出するフィルタが必要であり、搬送波成分を除去するフィルタや各種フィルタに使用する回路の規模が大きくなってコストが増大するという問題点があった。また、特許文献２に開示の技術では、特殊な計算式を回路で実現しているために、複数の演算機能が必要であり、回路規模が大きくなってコストが高いという問題点があった。
【０００８】
そこで本発明は、ＩＦ信号に含まれている搬送波成分を除去することなく、ＩＦ信号を混信成分と非混信成分とに分けてこれらを別々に検波することができ、かつ、特殊な計算式に頼ることなく、別々に検波した信号を選択することができるようにして、非混信成分の信号を抽出することができるラジオ受信機とこの受信機に内蔵された復調回路を提供することを目的としている。
【課題を解決するための手段】
【０００９】
前記目的を達成する本発明のラジオ受信機は、アンテナで受信したラジオ電波を中間周波数に変換して出力する同調回路と、該同調回路からの中間周波数の信号をデジタル変換後に復調処理して復調信号を出力する復調回路とを備え、復調回路では入力される中間周波数を同期検波して上側帯波と下側帯波を生成するラジオ受信機において、隣接妨害局による混信状態が上側帯波と下側帯波に発生しているか否かを検出する混信状態検出器と、混信状態検出器の出力から、上側帯波と側帯波の何れか一方に混信が発生している場合には、混信が発生していない方の側帯波を選択する信号を生成する側帯波選択信号発生器と、上側帯波と下側帯波、及び側帯波選択信号が入力され、側帯波選択信号に応じて上側帯波と下側帯波の何れか一方を出力する信号選択器とを復調回路に設けたことを特徴としている。
【００１０】
前記目的を達成する本発明の復調回路は、アンテナで受信したラジオ電波を中間周波数に変換して出力する同調回路からの中間周波数の信号を復調処理して復調信号を出力する復調回路であって、中間周波数の信号をデジタル信号に変換するＡＤ変換器と、デジタル変換された中間周波数からＰＬＬ回路によって同相成分の信号と直交成分の信号を生成し、処理回路によって同相成分の信号と直交成分信号から上側波帯と下側波帯の信号を作る同期検波回路と、隣接妨害局による混信状態が上側帯波と下側帯波に発生しているか否かを両側波帯の直流成分の大きさによって検出する混信状態検出器と、混信状態検出器の出力から、上側帯波と下側帯波の何れか一方に混信が発生している場合には、混信が発生していない方の側帯波を選択する信号を生成する側帯波選択信号発生器と、上側帯波と下側帯波、及び側帯波選択信号が入力され、側帯波選択信号に応じて上側帯波と前記下側帯波の何れか一方を出力する信号選択器とを備えることを特徴としている。
【発明の効果】
【００１１】
本発明のラジオ受信機と復調回路によれば、隣接局混信状態での受信時でも、隣接局の妨害のないＵＳＢ信号、或いはＬＳＢ信号を選択することにより、復調信号の音質の低下を防止することができる。
【発明を実施するための最良の形態】
【００１２】
以下、添付図面を用いて本発明の実施の形態を、具体的な実施例に基づいて詳細に説明する。
【００１３】
図１は本発明を適用する復調回路を備えたラジオ受信機１の全体構成を示すブロック回路図である。ラジオ受信機１は、アンテナ２とアンテナ２で受信した電波からＩＦ信号を作る同調回路３（以後フロントエンド３という）、及び復調回路を含むチューナＤＳＰ（デジタル信号プロセッサ）１０を備えている。フロントエンド３は、公知の構成を備えており、アンテナ２で受信した電波から得られる信号と、水晶振動子とＰＬＬ回路とから構成される局部発振器で生成された信号とを、混合器で混合して４５０ｋＨｚのＩＦ信号を作り、増幅してチューナＤＳＰ１０に出力する。
【００１４】
チューナＤＳＰ１０は、フロントエンド３からＩＦ信号を受け取ると、これをＡＤ変喚器４によりデジタル信号化し、同期検波回路５で同期検波し、ＵＳＢ信号とＬＳＢ信号を出力する。同期検波回路５は公知であり、ＡＤ変換器によってＩＦの信号をデジタル信号に変換し、デジタル変換されたＩＦからＰＬＬ回路によって同相成分の信号と直交成分の信号を生成し、処理回路によって同相成分の信号と直交成分信号から上側波帯と下側波帯の信号を作るものである。同期検波回路５から出力されたＵＳＢ信号とＬＳＢ信号はそれぞれ２分岐される。ＵＳＢ信号の一方はレベル検出部６Ｕに入力され、他方は信号選択部８に入力される。また、ＬＳＢ信号の一方はレベル検出部６Ｌに入力され、他方は信号選択部８に入力される。
【００１５】
レベル検出部６Ｕとレベル検出部６Ｌは、それぞれ入力されたＵＳＢ信号とＬＳＢ信号の混信状態をその信号レベルで検出し、検出結果を信号選択ロジック作成部７に入力する。信号選択ロジック作成部７では、レベル検出部６Ｕとレベル検出部６Ｌから入力された信号により、ＵＳＢ信号とＬＳＢ信号のどちらを選択するかのロジック信号を作成し、これを信号選択部８に入力する。
【００１６】
信号選択部８では信号選択ロジック作成部７からの信号により、ＵＳＢ信号とＬＳＢ信号のどちらか一方を選択し、これをパルスノイズ検出部９とノイズキャンセル処理部１１に送る。パルスノイズ検出部９はパルスノイズを検出してこれをノイズキャンセル処理部１１に送る。ノイズキャンセル処理部１１はパルスノイズ検出部９からのパルスノイズの検出信号に基づいてノイズをキャンセルし、ノイズがキャンセルされた信号は弱電界処理部１２を経てＤＡ変換器１３に送られ、アナログ信号に変換されてチューナＤＳＰ１０から出力される。
【００１７】
ここで、チューナＤＳＰ１０内のレベル検出部６Ｕ又は６Ｌ，信号選択ロジック作成部７、信号選択部８、及びパルスノイズ検出部９の内部構成の実施例、及びその動作を図２から図５により説明する。
【００１８】
図２（ａ）は、図１のレベル検出部６Ｌ，６Ｕの一実施例の構成を示すものである。レベル検出部６Ｌ，６Ｕの構成は全く同じであるので、ここでは一方の構成のみを図示してある。レベル検出部６Ｌ，６Ｕは、高域通過フィルタ（ハイパスフィルタのことであり、以後ＨＰＦと記す）６１、絶対値回路６２、低域通過フィルタ（ローパスフィルタのことであり、以後ＬＰＦと記す）６３、及びループフィルタ６４を備えて構成される。ループフィルタ６４には、乗算係数が「ａ」の乗算器６５、加算器６６、遅延素子６７、及び乗算係数が「１−ａ」の乗算器６８がある。乗算器６８は遅延素子６７の出力を加算器６６に導く。
【００１９】
図２（ｂ）、（ｃ）は、図２（ａ）に示したＨＰＦ６１の入力側のＡ点におけるＵＳＢ信号又はＬＳＢ信号に隣接局の混信がある場合と、混信がない場合の、ＵＳＢ信号又はＬＳＢ信号の波形（図はＵＳＢ信号に混信がある場合の波形）を示すものである。図２（ｂ）に示すように、隣接局の混信がある場合には、ＵＳＢ信号に加えて隣接曲（混信局）の搬送波とその音声成分がＨＰＦ６１に入力される。また、図２（ｃ）に示すように、隣接局の混信がない場合には、ＵＳＢ信号のみがＨＰＦ６１に入力される。
【００２０】
図２（ｄ）、（ｅ）は、絶対値回路６２の機能を示すものである。絶対値回路６２の入力側のＢ点に、例えば図２（ｄ）に示すような波形の信号が入力されると、絶対値回路６２の出力側のＣ点には、図２（ｅ）に示すような波形の信号が出力される。これらの図から分かるように、絶対値回路６２は入力信号の負の成分を全て正の成分に反転させるものである。
【００２１】
図２（ｆ）は、ＬＰＦ６３の出力側のＤ点における波形を示すものである。この図には、前述のＡ点に、図２（ｂ）に示すような隣接局による混信信号が入力された場合の信号波形（図には混信がある場合と表記）と、図２（ｃ）に示すような混信のない信号が入力された場合の信号波形（図には混信がない場合と表記）が合わせて示されている。混信がある場合は、Ｄ点における出力電流の値が大きい。
【００２２】
図２（ｇ）は、前述のＤ点に図２（ｆ）に示すような信号が入力された場合の、ループフィルタ６４の出力波形（図２（ａ）のＥ点における信号波形）を示すものである。この図から分かるように、ＨＰＦ６１に隣接局からの混信信号が入力された場合は、出力信号のＤＣ成分（直流成分）が大きく、ＨＰＦ６１に混信のない信号が入力された場合は、出力信号のＤＣ成分（直流成分）が小さい。従って、例えば、ＵＳＢ信号が混信している場合には、レベル検出部６Ｕからは図２（ｇ）に示す混信がある場合の信号が出力され、ＵＳＢ信号が混信していない場合には、レベル検出部６Ｕからは図２（ｇ）に示す混信がない場合の信号が出力される。同様に、ＬＳＢ信号が混信している場合には、レベル検出部６Ｌからは図２（ｇ）に示す混信がある場合の信号が出力され、ＬＳＢ信号が混信していない場合には、レベル検出部６Ｌからは図２（ｇ）に示す混信がない場合の信号が出力される。
【００２３】
図３（ａ）は、図１の信号選択ロジック作成部７の一実施例の構成を示すものである。信号選択ロジック作成部７には、０レベル発生器７０、減算器７１、デッドゾーン回路７２、比較器７３，７４、反転回路７５，７６、ＯＲ回路７７、ＡＮＤ回路７８、及び変換回路７９Ｌ，７９Ｕがある。変換回路７９Ｌ，７９Ｕは、二進数のデータが入力されると十進数のデータを出力するものである。
【００２４】
減算器７１は、レベル検出部６ＵからのＵＳＢ信号（ＤＣ成分）から、レベル検出部６ＬからのＬＳＢ信号（ＤＣ成分）を減算するものである。例えば、点Ｆに入力されるＵＳＢ信号（ＤＣ成分）が混信しており、点Ｇに入力されるＬＳＢ信号（ＤＣ成分）が混信していない場合は、図３（ｂ）に示すＵＳＢ（ＤＣ）信号からＬＳＢ（ＤＣ）信号が減算され、点Ｈに現れる信号は図３（ｄ）に示すようになる。一方、点Ｆに入力されるＵＳＢ信号（ＤＣ成分）が混信しておらず、点Ｇに入力されるＬＳＢ信号（ＤＣ成分）が混信している場合は、図３（ｃ）に示すＵＳＢ（ＤＣ）信号からＬＳＢ（ＤＣ）信号が減算され、点Ｈに現れる信号は図３（ｅ）に示すようになる。
【００２５】
デッドゾーン回路７２は、入力信号の０レベルに発生しているチャタリングを除去するものである。これは、図３（ｄ）、（ａ）に示す前述のＨ点における信号のレベルがチャタリングしていることがあるため、これを平滑化するために設けられている。このため、デッドゾーン回路７２には図３（ｆ）に示すように、０レベルに対して正負のしきい値が設定されており、この正負のしきい値内にある信号は、図３（ｇ）に示すような平滑化された信号として出力される。
【００２６】
デッドゾーン回路７２から出力された信号は、２分岐されて２つの比較器７３，７４に入力される。２つの比較器７３，７４には、０レベル発生器７０からの０レベル信号が入力されている。そして、比較器７３は、入力された信号が、０レベル信号以上の時にＵＳＢロジック信号として”Ｈ”を出力し、０レベル信号未満の時にＵＳＢロジック信号として”Ｌ”を出力する。また、比較器７４は、入力された信号が、０レベル信号よりも低い時にＬＳＢロジック信号として”Ｈ”を出力し、０レベル信号以上の時にＬＳＢロジック信号として”Ｌ”を出力する。
【００２７】
比較器７３の出力（前述のＵＳＢロジック信号）は２分岐され、その一方は論理反転回路７５を介してＯＲ回路７７に入力され、他方はＡＮＤ回路７８に入力される。また、比較器７４の出力（前述のＬＳＢロジック信号）も２分岐され、その一方は論理反転回路７６を介してＡＮＤ回路７８に入力され、他方はＯＲ回路７７に入力される。ＯＲ回路７７の出力は、変換回路７９Ｕを通じてスイッチ用のＵＳＢ信号（図にはＵＳＢ信号（ＳＷ用）と表記され、”Ｈ”か”Ｌ”を示すロジック信号である）として出力される。また、ＡＮＤ回路７８の出力は変換回路７９Ｌを通じてスイッチ用のＬＳＢ信号（図にはＬＳＢ信号（ＳＷ用）と表記、”Ｈ”か”Ｌ”を示すロジック信号である）として出力される。
【００２８】
図３（ｈ）は、図３（ａ）のＪ点、Ｋ点、Ｌ点、及びＭ点における論理を示すテーブルである。図のＵＳＢロジックがＪ点の論理を示しており、ＬＳＢロジックがＫ点の論理を示しており、ＵＳＢがＬ点の論理を示しており、ＬＳＢがＭ点の論理を示している。ＵＳＢロジック（Ｊ点のロジック）は、ＵＳＢ信号に隣接局の混信がある時に”Ｈ”となり、混信がない時に”Ｌ”になる。同様に、ＬＳＢロジック（Ｋ点のロジック）は、ＬＳＢ信号に隣接局の混信がある時に”Ｈ”となり、混信がない時に”Ｌ”になる。
【００２９】
なお、図３（ｈ）に示す論理テーブルから分かるように、この実施例では、ＵＳＢ信号とＬＳＢ信号に共に混信がない場合、及びＵＳＢ信号とＬＳＢ信号に共に混信がある場合は、ＵＳＢ信号が選択され、ＵＳＢ信号（ＳＷ用）が”Ｈ”となり、ＬＳＢ信号（ＳＷ用）が”Ｌ”になる。
【００３０】
図４（ａ）は、図１の信号選択部８の一実施例の構成を示すものである。信号選択部８には信号選択ロジック作成部７からのＵＳＢ信号（ＳＷ用）とＬＳＢ信号（ＳＷ用）、および同期検波器５からのＵＳＢ信号とＬＳＢ信号が入力されている。ＵＳＢ信号（ＳＷ用）とＬＳＢ信号（ＳＷ用）はそれぞれＬＰＦ８１とＬＰＦ８２を介して、それぞれ掛け算器８３，８４に入力される。ＵＳＢ信号（ＳＷ用）とＬＳＢ信号（ＳＷ用）がそれぞれＬＰＦ８１とＬＰＦ８２に入力されるのは、ＵＳＢ信号（ＳＷ用）とＬＳＢ信号（ＳＷ用）には”Ｈ”の時に図４（ｂ）に示すようなノイズが乗ることがあるためである。ＵＳＢ信号（ＳＷ用）とＬＳＢ信号（ＳＷ用）はそれぞれＬＰＦ８１とＬＰＦ８２を通すことによってノイズ成分が除去される。
【００３１】
図４（ｄ）はＵＳＢ信号に混信がある場合の、図４（ａ）の一方の掛け算器８３に入力される２つの信号の波形を示すものである。ＵＳＢ信号に混信がある場合は、ＵＳＢ信号（ＳＷ用）は”Ｌ”（０レベル）であるので、掛け算器８３における混信状態のＵＳＢ信号とＵＳＢ信号（ＳＷ用）の乗算結果は０レベルとなる。図４（ｅ）はＬＳＢ信号に混信がない場合の、図４（ａ）の他方の掛け算器８４に入力される２つの信号の波形を示すものである。ＬＳＢ信号に混信がない場合は、ＬＳＢ信号（ＳＷ用）は”Ｈ”（１レベル）であるので、掛け算器８４における混信のない状態のＬＳＢ信号とＬＳＢ信号（ＳＷ用）の乗算結果はＬＳＢ信号がそのまま出力される。
【００３２】
従って、図４（ａ）に示す加算器８５の出力は、図４（ｆ）に示すように、ＵＳＢ信号が混信している時にはＬＳＢ信号が採用されて出力された形となる。また逆に、ＬＳＢ信号が混信している時には、ＵＳＢ信号が採用されて出力された形となる。このように、ＵＳＢ信号とＬＳＢ信号の何れか一方が混信していた場合は、信号選択部８からは混信のない方の信号が選択されて出力される。
【００３３】
図５（ａ）は、図１のパルスノイズ検出部９の一実施例の構成を示すものである。パルスノイズ検出部９は、ＨＰＦ９１，絶対値回路９２、及びＬＰＦ９３が直列に接続されて構成される。信号選択部８から出力される信号（Ｎ点の信号）には、図５（ｂ）に示すように、音声成分と混信成分を含んだパルスノイズが含まれることがある。そこで、ＨＰＦ９１を音声領域以外の信号を通過させるように設定しておき、ＨＰＦ９１の出力Ｏ点において図５（ｃ）に示すようなパルスノイズを取り出す。そして、このパルスノイズを絶対値回路９２を通すことによって、絶対値回路９２の出力Ｐ点において図５（ｄ）に示すような正成分のみのパルスノイズを得る。これは、パルスノイズの発生時間（パルスノイズ発生幅）を得るためである。
【００３４】
図５（ｄ）に示すパルスノイズ信号は、０信号を含むためにこのままでは信号として扱えない。そこで、図５（ｄ）に示す信号を、ＬＰＦ９３を通して波形をなまらせることにより、ＬＰＦ９３の出力Ｑ点に、図５（ｅ）に示すような信号として扱えるパルスノイズ幅を得、これを図１に示すノイズキャンセル処理部１１に入力する。
【００３５】
ノイズキャンセル部１１には図５（ｅ）に示すパルスノイズに対してしきい値が設定されており、このしきい値をパルスノイズが越えたら、ノイズが発生していると判定する。そして、ノイズ発生判定時には、ノイズキャンセル部１１でノイズを除去する。詳しい説明は省略するが、ノイズキャンセル部１１におけるノイズ除去には適応処理、補間処理が適用される。この後、前述のように、ノイズがキャンセルされた信号は弱電界処理部１２を経てＤＡ変換器１３に送られ、アナログ信号に変換されてチューナＤＳＰ１０から出力される。
【００３６】
なお、本発明の実施例ではＡＭラジオ受信機を説明したが、本願発明はＦＭラジオ受信機にも適用できる。
【図面の簡単な説明】
【００３７】
【図１】本発明を適用する復調回路を備えたラジオ受信機の全体構成を示すブロック回路図である。
【図２】（ａ）は、図１のレベル検出部の一実施例の構成を示すブロック回路図、（ｂ）は（ａ）のＡ点における混信がある場合のＵＳＢ信号又はＬＳＢ信号の波形を示す波形図、（ｃ）は（ａ）のＡ点における混信がない場合のＵＳＢ信号又はＬＳＢ信号の波形を示す波形図、（ｄ）は（ａ）のＢ点における信号波形を示す波形図、（ｅ）は（ａ）のＣ点における信号波形を示す波形図、（ｆ）は（ａ）のＤ点における信号波形を混信がある場合と混信が無い場合の２通り示す波形図、（ｇ）は（ａ）のＥ点における信号波形を混信がある場合と混信が無い場合の２通り示す波形図である。
【図３】（ａ）は、図１の信号選択ロジック作成部の一実施例の構成を示すブロック回路図、（ｂ）はＵＳＢが混信時の（ａ）のＦ点におけるＵＳＢ信号のＤＣ成分とＧ点におけるＬＳＢ信号のＤＣ成分の波形を示す波形図、（ｃ）はＬＳＢが混信時の（ａ）のＦ点におけるＵＳＢ信号のＤＣ成分とＧ点におけるＬＳＢ信号のＤＣ成分の波形を示す波形図、（ｄ）はＵＳＢが混信時の（ａ）のＨ点における信号波形を示す波形図、（ｅ）はＬＳＢが混信時の（ａ）のＨ点における信号波形を示す波形図、（ｆ）は（ａ）のＨ点における０レベルラインを拡大して示す波形図、（ｇ）は（ａ）のＩ点における０レベルラインを拡大して示す波形図、（ｈ）は（ａ）のＪ点とＫ点における論理値に対して、（ａ）のＬ点とＭ点における出力の論理を示す論理テーブルである。
【図４】（ａ）は、図１の信号選択部の一実施例の構成を示すブロック回路図、（ｂ）は（ａ）に示すＬＰＦに入力される信号波形の一例を示す波形図、（ｃ）は（ａ）に示すＬＰＦに（ｂ）に示す信号が入力された時の出力信号の波形を示す波形図、（ｄ）はＵＳＢ信号に混信がある場合の（ａ）の一方の掛け算器に入力される２つの信号の波形を示す波形図、（ｅ）はＬＳＢ信号に混信が無い場合の（ａ）の他方の掛け算器に入力される２つの信号の波形を示す波形図、（ｆ）は（ａ）の掛け算器の出力波形を示す波形図である。
【図５】（ａ）は、図１のパルスノイズ検出部の一実施例の構成を示すブロック回路図、（ｂ）は（ａ）のＮ点における信号波形の一例を示す波形図、（ｃ）は（ａ）のＯ点における信号波形を示す波形図、（ｄ）は（ａ）のＰ点における信号波形を示す波形図、（ｅ）は（ａ）のＱ点における信号の波形を示す波形図である。
【符号の説明】
【００３８】
１    ラジオ受信機
５    同期検波器
６Ｌ，６Ｕ    レベル検出部
７    信号選択ロジック作成部
８    信号作成部
９    パルスノイズ検出部
１０    チューナＤＳＰ
２１    ノイズキャンセル処理部
６４    ループフィルタ
６５、６８    乗算器
６６    加算器
６７    遅延素子
【図１】
2010178206.tif 000003
【図２】
2010178206.tif 000004
【図３】
2010178206.tif 000005
【図４】
2010178206.tif 000006
【図５】
2010178206.tif 000007